(57)【要約】【課題】地上波デジタル放送において、スクランブルされている放送データの概要を容易に把握できるようにする。【解決手段】主制御部２８は、チューナ２１で選局されたチャンネルで放送される放送データがスクランブルされていない場合に、セレクタ２７に、ＤＥＭＵＸ２４でトランスポートストリームから分離された放送データを表す映像出力信号を生成させる。また、チューナ２１で選局されたチャンネルで放送される放送データがスクランブルされており、かつ、当該スクランブルを解除するキーを有している場合に、デスクランブラ２６に、トランスポートストリームから分離された放送データをデスクランブルさせると共に、セレクタ２７に、デスクランブルされた放送データを表す映像出力信号を生成させる。そして、チューナ２１で選局されたチャンネルで放送される放送データがスクランブルされており、かつ、当該スクランブルを解除するキーを有していない場合に、セレクタ２７に、トランスポートストリームから分離された補間放送データを表す映像出力信号を生成させる。【選択図】図４
2005151333.tif 000002
【特許請求の範囲】
【請求項１】
地上波デジタル放送信号を受信する地上波デジタル放送受信機であって、
チューナと、前記チューナで選局されたチャンネルのＯＦＤＭ変調信号を復調しトランスポートストリームを出力するＯＦＤＭ復調部と、前記トランスポートストリームを放送データおよび補間放送データに分離する分離部と、スクランブルされた放送データをデスクランブルするデスクランブラと、放送データおよび補間放送データの一方を選択して出力するセレクタと、主制御部と、を有し、
前記主制御部は、
前記チューナで選局されたチャンネルで放送される放送データがスクランブルされていない場合に、前記セレクタに、前記トランスポートストリームから分離された放送データを選択させる処理と、
前記チューナで選局されたチャンネルで放送される放送データがスクランブルされており、かつ、スクランブル解除キーを有している場合に、前記デスクランブラに、前記トランスポートストリームから分離された放送データをデスクランブルさせると共に、前記セレクタに、デスクランブルされた放送データを選択させる処理と、
前記チューナで選局されたチャンネルで放送される放送データがスクランブルされており、かつ、スクランブル解除キーを有していない場合に、前記セレクタに、前記トランスポートストリームから分離された補間放送データを選択させる処理と、を行なうこと
を特徴とする地上波デジタル放送受信機。
【請求項２】
請求項１に記載の地上波デジタル放送受信機であって、
前記主制御部は、
前記チューナで選局されたチャンネルで放送される放送データがスクランブルされており、かつ、スクランブル解除キーを有していない場合において、前記トランスポートストリームに補間放送データが含まれていない場合、前記セレクタに、前記トランスポートストリームから分離された、スクランブルされた放送データを選択させること
を特徴とする地上波デジタル放送受信機。
【請求項３】
請求項１または２に記載の地上波デジタル放送受信機であって、
前記地上波デジタル放送受信機は、車両に搭載されて用いられるものであり、
前記主制御部は、
前記チューナで選局されたチャンネルで放送される放送データがスクランブルされており、かつ、スクランブル解除キーを有していない場合において、前記トランスポートストリームから分離した補間放送データに文字列および映像が含まれている場合、前記車両が停止中でないならば、前記補間放送データに代えて前記補間放送データに含まれる文字列データを前記セレクタに入力すること
を特徴とする地上波デジタル放送受信機。
【請求項４】
請求項１乃至３のいずれか１項に記載の地上波デジタル放送受信機であって、
前記補間放送データは、同じチャンネルに含まれている放送データの宣伝データであること
を特徴とする地上波デジタル放送受信機。
【請求項５】
地上波デジタル放送受信機が地上波デジタル放送信号を受信する地上波デジタル放送受信方法であって、
前記地上波デジタル放送受信機は、
チューナと、前記チューナで選局されたチャンネルのＯＦＤＭ変調信号を復調しトランスポートストリームを出力するＯＦＤＭ復調部と、前記トランスポートストリームを放送データおよび補間放送データに分離する分離部と、スクランブルされた放送データをデスクランブルするデスクランブラと、放送データおよび補間放送データのいずれか一方を選択して出力するセレクタと、を有し、
前記チューナで選局されたチャンネルで放送される放送データがスクランブルされていない場合、前記セレクタが、前記トランスポートストリームから分離された放送データを選択して出力し、
前記チューナで選局されたチャンネルで放送される放送データがスクランブルされており、かつ、スクランブル解除キーを有している場合、前記デスクランブラが前記トランスポートストリームから分離された放送データをデスクランブルすると共に、前記セレクタが、デスクランブルされた放送データを選択して出力し、
前記チューナで選局されたチャンネルで放送される放送データがスクランブルされており、かつ、スクランブル解除キーを有していない場合、前記セレクタが、前記トランスポートストリームから分離された補間放送データを選択して出力すること
を特徴とする地上波デジタル放送受信方法。
【請求項６】
地上波デジタル放送信号を送信する地上波デジタル放送送信機であって、
放送データにスクランブル処理を施すスクランブラと、補間放送データおよび前記スクランブルでスクランブル処理された放送データを多重化してトランスポートストリームを生成する多重化部と、前記トランスポートストリームをＯＦＤＭ変調するＯＦＤＭ変調部と、前記ＯＦＤＭ変調部から出力されたＯＦＤＭ変調信号を送信する送信部と、を有し、
前記補間放送データは、前記放送データの宣伝データであること
を特徴とする地上波デジタル放送送信機。
【請求項７】
地上波デジタル放送送信機が地上波デジタル放送信号を送信する地上波デジタル放送送信方法であって、
放送データにスクランブル処理を施し、補間放送データおよび前記スクランブル処理された放送データを多重化してトランスポートストリームを生成し、前記トランスポートストリームをＯＦＤＭ変調して送信し、
前記補間放送データは、前記放送データの宣伝データであること
を特徴とする地上波デジタル放送送信方法。
【発明の詳細な説明】
【技術分野】
【０００１】
本発明は、地上波デジタル放送技術に関する。
【背景技術】
【０００２】
地上波デジタル放送に対応した車載用テレビ受信機がある（例えば特許文献１）。地上波デジタル放送では、放送データ（放送コンテンツ）の他に、データを多重して放送することができる。
【０００３】
【特許文献１】特開２００３-２７３７５９号公報
【発明の開示】
【発明が解決しようとする課題】
【０００４】
ところで、正当な権利を有するユーザのみが有料コンテンツなどの放送データを視聴できるようにするために、該放送データがスクランブルされている場合がある。この場合、正当な権利を有さないユーザの地上波デジタル放送受信機では、該放送データをデスクランブルすることなく映像出力信号に変換して表示装置に出力する。このため、ユーザは、表示画面からではその放送コンテンツの概要を把握することができない。なお、新聞の番組表などを使ってスクランブルされている放送コンテンツの番組名を調べることもできる。しかし、地上波放送に比べて多くの番組が放送される地上波デジタル放送の番組表から所望の番組を調べるのは容易でない。また、一般に、新聞の番組表には番組の番組名や見出し程度しか掲載されないことが多い。これだけでは放送コンテンツの概要を把握することが困難なことがある。
【０００５】
本発明は上記事情に鑑みてなされたものであり、本発明の目的は地上波デジタル放送において、スクランブルされている放送データの概要を容易に把握できるようにすることにある。
【課題を解決するための手段】
【０００６】
上記課題を解決するために、本発明の地上波デジタル放送受信機は、選局したチャンネルの放送データがスクランブルされており、かつ、当該スクランブルを解除する権利を有していない場合に、当該チャンネルに多重化されている当該放送データの補間放送データを表す映像出力信号を生成して出力する。ここで、補間放送データは、例えば同じチャンネルの放送データの宣伝データである。
【０００７】
例えば、本発明の地上波デジタル放送受信機は、チューナと、前記チューナで選局されたチャンネルのＯＦＤＭ変調信号を復調しトランスポートストリームを出力するＯＦＤＭ復調部と、前記トランスポートストリームを放送データおよび補間放送データに分離する分離部と、スクランブルされた放送データをデスクランブルするデスクランブラと、放送データおよび補間放送データのいずれか一方を選択して出力するセレクタと、主制御部と、を有する。
【０００８】
そして、前記主制御部は、前記チューナで選局されたチャンネルで放送される放送データがスクランブルされていない場合に、前記セレクタに、前記トランスポートストリームから分離された放送データを選択させる処理と、前記チューナで選局されたチャンネルで放送される放送データがスクランブルされており、かつ、スクランブル解除キーを有している場合に、前記デスクランブラに、前記トランスポートストリームから分離された放送データをデスクランブルさせると共に、前記セレクタに、デスクランブルされた放送データを選択させる処理と、前記チューナで選局されたチャンネルで放送される放送データがスクランブルされており、かつ、スクランブル解除キーを有していない場合に、前記セレクタに、前記トランスポートストリームから分離された補間放送データを選択させる処理と、を行なう。
【０００９】
また、本発明の地上波デジタル放送送信機は、放送データにスクランブル処理を施すスクランブラと、補間放送データおよび前記スクランブルでスクランブル処理された放送データを多重化してトランスポートストリームを生成する多重化部と、前記トランスポートストリームをＯＦＤＭ変調するＯＦＤＭ変調部と、前記ＯＦＤＭ変調部から出力されたＯＦＤＭ変調信号を送信する送信部と、を有する。そして、前記補間放送データは、前記放送データの宣伝データである。
【発明の効果】
【００１０】
本発明によれば、放送データがスクランブルされており、かつ、スクランブル解除キーを有していない場合、放送データのスクランブル映像が出力される代わりに、この放送データと同じチャンネルに多重化されている補間放送データの映像出力信号が出力される。この補間放送データは、同じチャンネルに含まれている放送データのあらすじ、ＣＭ、次回放送予定、および、放送コンテンツの代表画像などの宣伝データであるので、ユーザは、地上波デジタル放送において、スクランブルされている放送データの概要を容易に把握することができる。
【発明を実施するための最良の形態】
【００１１】
以下に、本発明の実施の形態を説明する。
【００１２】
図１は、本発明の一実施形態が適用された地上波デジタル放送システムの概略図である。図示するように、本実施形態の車載システムは、地上波デジタル放送の放送局に設置された地上波デジタル放送送信機１と、車両に搭載された地上波デジタル放送受信機２と、を有する。なお、図１に示す例では地上波デジタル放送送信機１および地上波デジタル放送受信機２の数をそれぞれ１台としているが、当然のことながら複数台であってもよい。
【００１３】
地上波デジタル放送送信機１は、放送局が放送する放送コンテンツを地上波デジタル放送により放送する。ここで、放送コンテンツの宣伝データがある場合は、この宣伝データを補間放送コンテンツとして放送コンテンツと共に地上波デジタル放送により放送する。なお、本実施形態では、放送コンテンツとして動映像および音声からなるリアルタイムデータを想定している。また、補間放送コンテンツとして文字および/または静止映像からなるデータを想定している。
【００１４】
図２は、図１に示す地上波デジタル放送送信機１の概略図である。図示するように、音声エンコーダ１１と、スクランブラ１２と、映像エンコーダ１３と、ＭＵＸ（多重化部）１４と、ＯＦＤＭ変調部１５と、送信部１６と、を有する。
【００１５】
音声エンコーダ１１は、地上波デジタル放送送信機１に入力された放送コンテンツの音声データをエンコードする。スクランブラ１２は、スクランブル動作モードとスクランブル非動作モードの２つのモードを有する。スクランブル動作モードの場合は、地上波デジタル放送送信機１に入力された放送コンテンツの映像データに対してスクランブル処理を施し、それから映像エンコーダ１３に出力する。一方、スクランブル非動作モードの場合は、地上波デジタル放送送信機１に入力された放送コンテンツの映像データにスクランブル処理を施すことなく映像エンコーダ１３に出力する。
【００１６】
映像エンコーダ１３は、スクランブラ１２から出力された放送コンテンツの映像データをエンコードする。ＭＵＸ１４は、音声エンコーダ１１から出力された音声データおよび映像エンコーダ１３から出力された映像データ、つまり、エンコードされた放送コンテンツを多重化してＴＳ（Transport Stream）を生成する。この際、ＭＵＸ１４は、地上波デジタル放送送信機１に補間放送コンテンツが入力されているならば、この補間放送コンテンツおよびエンコードされた放送コンテンツを多重化してＴＳを生成する。
【００１７】
上述したように、補間放送コンテンツは、同じチャンネルで放送されている放送コンテンツの宣伝データであり、文字および/または静止映像を含む。図３は、補間放送コンテンツのデータフォーマットの一例を示している。この例では、文字列データの有無を示すフラグを格納するエリア１０１と、文字列データを格納するエリア１０２と、映像データの有無を示すフラグを格納するエリア１０３と、映像データを格納するエリア１０４と、を有する。エリア１０１に格納されているフラグが「無し」の場合、エリア１０２に文字列データは格納されない。同様に、エリア１０３に格納されているフラグが「無し」の場合、エリア１０４に映像データは格納されない。
【００１８】
ＯＦＤＭ変調部１５は、ＭＵＸ１４から出力されたＴＳにＯＦＤＭ（Orthogonal Frequency Division Multiplexing）変調を施してＯＦＤＭ変調信号を出力する。そして、送信部１６は、ＯＦＤＭ変調部１５から出力されたＯＦＤＭ変調信号をアンテナ３から送信する。
【００１９】
さて、上記構成の地上波デジタル放送送信機１は、入力された放送コンテンツが無料コンテンツの場合、当該放送コンテンツの映像データにスクランブル処理を施すことなく、当該放送コンテンツを地上波デジタル放送により放送する。また、入力された放送コンテンツが有料コンテンツの場合、当該放送コンテンツの映像データにスクランブル処理を施した上で、当該放送コンテンツを補間放送コンテンツと共に地上波デジタル放送により放送する。
【００２０】
図１に戻って説明を続ける。地上波デジタル放送受信機２は、地上デジタル放送送信機１が放送する地上波デジタル放送を受信して映像および音声を出力する。
【００２１】
図４は、図１に示す地上波デジタル放送受信機２の概略図である。図示するように、チューナ２１と、ＯＦＤＭ復調部２２と、ＤＥＭＵＸ（分離部）２３と、音声デコーダ２４と、映像デコーダ２５と、デスクランブラ２６と、セレクタ２７と、主制御部２８と、キー管理ＴＬ（テーブル）記憶部２９と、操作パネルなどの指示受付部３０と、を有する。
【００２２】
チューナ２１は、アンテナ４で受信した地上波デジタル放送信号から、主制御部２８より指示されたチャンネルを選局する。ＯＦＤＭ復調部２２は、チューナ２１で選局されたチャンネルのＯＦＤＭ変調信号をＯＦＤＭ復調してＴＳを出力する。ＤＥＭＵＸ２３は、ＯＦＤＭ復調部２２から出力されたＴＳを放送コンテンツの音声データビット列、放送コンテンツの映像データビット列および補間放送コンテンツのデータビット列に分離する。分離された音声データビット列、映像データビット列およびデータビット列は、それぞれ、音声デコーダ２４、映像デコーダ２５および主制御部２８に出力される。
【００２３】
音声デコーダ２４は、ＤＥＭＵＸ２３から出力された音声データビット列をデコードし音声出力信号をスピーカ４へ出力する。映像デコーダ２５は、ＤＥＭＵＸ２３から出力された映像データビット列をデコードし映像出力信号を出力する。デスクランブラ２６は、スクランブル解除動作モードに設定されている場合、映像デコーダ２５から出力された映像出力信号にデスクランブル処理を施し、セレクタ２７へ出力する。スルー動作モードに設定されている場合は、映像デコーダ２５から出力された映像出力信号をそのままセレクタ２７へ出力する。
【００２４】
セレクタ２７は、主制御部２８からの指示に従い、デスクランブラ２７から出力された映像出力信号および主制御部２８から出力された映像出力信号のいずれか一方を選択してディスプレイ５に出力する。
【００２５】
キー管理ＴＬ記憶部２９には、地上波デジタル放送のチャンネル毎に、スクランブルの有無（有料コンテンツか否か）と、スクランブル「有り」の場合に、スクランブル解除のためのスクランブル解除キーを有しているならばそのキーが登録される。図５は、キー管理ＴＬ記憶部２９の登録内容例を示す図である。この図に示す例では、チャンネル番号を登録するためのフィールド２９１と、スクランブルの有無を登録するためのフィールド２９２と、スクランブル解除キーを登録するためのフィールド２９３と、を備えて１つのレコードが形成されている。ここで、フィールド２９３は、同じレコードのフィールド２９２にスクランブル「有り」が登録されており、且つ、ユーザが同じレコードのフィールド２９１に登録されているチャンネル番号の放送コンテンツを視聴する権利を有する場合にのみ、スクランブル解除キーが登録される。
【００２６】
そして、主制御部２８は、指示受付部３０で受付けたユーザの指示に従いチューナ２１に選局するチャンネルを指示する。また、主制御部２８は、キー管理ＴＬ記憶部２９を参照して、選局したチャンネルが有料チャンネルであるか否か、および、有料チャンネルである場合にスクランブル解除のためのスクランブル解除キーを有しているか否かを調べる。そして、その結果に応じて、デスクランブラ２６およびセレクタ２７を制御する。また、主制御部２８は、ＤＥＭＵＸ２３から出力されたデータビット列および車両に搭載された車載センサが検知したギア状態信号に基づいて映像出力信号を生成しセレクタ２７に出力する。
【００２７】
図６は、図４に示す地上波デジタル放送受信機４の主制御部２８の動作フローを説明するための図である。
【００２８】
まず、主制御部２８は、指示受付部３０を介してユーザより選局指示を受付けると（ステップＳ１０１）、選局指令をチューナ２１に出力する（ステップＳ１０２）。これを受けて、チューナ２１は指定されたチャンネルを選局する。選局されたチャンネルのＯＦＤＭ変調信号は、ＯＦＤＭ復調部２２でＴＳに復調され、それから、ＤＥＭＵＸ２３により放送コンテンツの音声データ、放送コンテンツの映像データ、および、補間放送コンテンツに分離される。放送コンテンツの音声データは、音声デコーダ２４でデコードされ、音声出力信号としてスピーカ５へ出力される。放送コンテンツの映像データは、映像デコーダ２５でデコードされ、映像出力信号としてデスクランブラ２６へ出力される。そして、補間放送コンテンツは主制御部２８へ出力される。
【００２９】
次に、主制御部２８は、キー管理ＴＬ記憶２９から、チューナ２１に選局させたチャンネルのチャンネル番号がフィールド２９１に登録されているレコードを検索する。そして、検出したレコードのフィールド２９２、２９３の登録内容を確認する。これにより、放送コンテンツがスクランブルされているか否か、および、放送コンテンツがスクランブルされている場合にスクランブル解除のためのキーを所有しているか否かを確認する（ステップＳ１０３）。
【００３０】
ステップＳ１０３での処理の結果、放送コンテンツがスクランブルされていないことを確認した場合（ステップＳ１０４でＮＯ）、デスクランブラ２６をスルー動作に設定する（ステップＳ１０５）。その結果、映像デコーダ２５から出力された映像出力信号は、セレクタ２７に出力される。次に、主制御部２８は、車両に搭載された車載センサが検知したギア状態信号が車両停止中（パーキング状態など）であることを示しているならば（ステップＳ１１０でＹＥＳ）、セレクタ２７にデスクランブラ２６を選択させる（ステップＳ１１１）。これにより、映像デコーダ２５から出力された映像出力信号（スクランブルされていない映像出力信号）がディスプレイ６に出力される。したがって、ユーザは、放送コンテンツを視聴することができる。一方、主制御部２８は、ギア状態信号が車両停止中であることを示していないならば（ステップＳ１１０でＮＯ）、セレクタ２７に映像出力を停止させる（ステップＳ１１２）。したがって、車両移動中は、放送コンテンツの音声のみがスピーカ５から出力される。
【００３１】
また、ステップＳ１０３での処理の結果、放送コンテンツがスクランブルされており（ステップＳ１０４でＹＥＳ）、かつ、このスクランブル解除キーを所有していることを確認した場合（ステップＳ１０６でＹＥＳ）、デスクランブラ２６をスクランブル解除動作に設定する（ステップＳ１０７）。その結果、映像デコーダ２５から出力されたスクランブル映像出力信号は、デスクランブル処理された後に、セレクタ２７に出力される。次に、主制御部２８は、車両に搭載された車載センサが検知したギア状態信号が車両停止中であることを示しているならば（ステップＳ１１０でＹＥＳ）、セレクタ２７にデスクランブラ２６を選択させる（ステップＳ１１１）。これにより、映像デコーダ２５から出力されたスクランブル映像出力信号がデスクランブルされてディスプレイ６に出力される。したがって、ユーザは、放送コンテンツを視聴することができる。一方、主制御部２８は、ギア状態信号が車両停止中であることを示していないならば（ステップＳ１１０でＮＯ）、セレクタ２７に映像出力を停止させる（ステップＳ１１２）。したがって、車両移動中は、放送コンテンツの音声のみがスピーカ５から出力される。
【００３２】
また、ステップＳ１０３での処理の結果、放送コンテンツがスクランブルされており（ステップＳ１０４でＹＥＳ）、かつ、このスクランブル解除キーを所有していないことを確認した場合（ステップＳ１０６でＮＯ）、デスクランブラ２６をスルー動作に設定する（ステップＳ１０８）。その結果、映像デコーダ２５から出力されたスクランブル映像出力信号は、デスクランブル処理されることなく、そのままセレクタ２７に出力される。次に、主制御部２８は、ＤＥＭＵＸ２３から受付けた補間放送コンテンツのエリア１０１、１０３に登録されているフラグに基づいて、補間放送コンテンツに文字列データおよび/または映像データが含まれているか否かを確認する（ステップＳ１０９）。
【００３３】
補間放送コンテンツに文字列データおよび映像データのいずれも含まれていない場合（ステップＳ１０９でＮＯ）、車両に搭載された車載センサが検知したギア状態信号が車両停止中であることを示しているならば（ステップＳ１１０でＹＥＳ）、セレクタ２７にデスクランブラ２６を選択させる（ステップＳ１１１）。これにより、映像デコーダ２５から出力されたスクランブル映像出力信号がディスプレイ６に出力される。したがって、ディスプレイ６にはスクランブル映像が表示される。一方、主制御部２８は、ギア状態信号が車両停止中であることを示していないならば（ステップＳ１１０でＮＯ）、セレクタ２７に映像出力を停止させる（ステップＳ１１２）。したがって、車両移動中は、放送コンテンツの音声のみがスピーカ５から出力される。
【００３４】
また、補間放送コンテンツに文字列データおよび/または映像データが含まれている場合（ステップＳ１０９でＹＥＳ）、車両に搭載された車載センサが検知したギア状態信号が車両停止中であることを示しているならば（ステップＳ１１３でＹＥＳ）、主制御部２８は、補間放送コンテンツの映像出力信号を生成する（ステップＳ１１４）。ここで、補間放送コンテンツに文字列および映像の両方が含まれている場合は、映像上に文字列が重畳表示されるように映像出力信号を生成する。それから、セレクタ２７に主制御部２８を選択させる（ステップＳ１１７）。これにより、グラフィック処理部２７は、主制御部２８から出力された映像出力信号をディスプレイ６に出力する。したがって、放送コンテンツの音声がスピーカ５から出力され、ディスプレイ６には、補間放送コンテンツ（文字列および/または映像）が表示される。
【００３５】
一方、ギア状態信号が車両停止中でないことを示している場合（ステップＳ１１３でＮＯ）、補間放送コンテンツに文字列データが含まれているならば（ステップＳ１１５でＹＥＳ）、主制御部２８は、補間放送コンテンツの文字列データの映像出力信号を生成する（ステップＳ１１６）。それから、セレクタ２７に主制御部２８を選択させる（ステップＳ１１７）。これにより、グラフィック処理部２７は、主制御部２８から出力された映像出力信号をディスプレイ６に出力する。したがって、車両移動中は、放送コンテンツの音声がスピーカ５から出力され、ディスプレイ６には、補間放送コンテンツの文字列のみが表示される。補間放送コンテンツの映像は表示されない。
【００３６】
また、ギア状態信号が車両停止中でないことを示しており（ステップＳ１１３でＮＯ）、かつ、補間放送コンテンツに文字列データが含まれていない（補間放送コンテンツに映像データのみが含まれている）場合（ステップＳ１１５でＮＯ）、セレクタ２７に映像出力を停止させる（ステップＳ１１２）。したがって、車両移動中は、放送コンテンツの音声のみがスピーカ５から出力される。
【００３７】
以上、本発明の一実施形態を説明した。
【００３８】
本実施形態によれば、チューナ２１で選局されたチャンネルで放送される放送コンテンツがスクランブルされており、かつ、当該スクランブルを解除するスクランブル解除キーを有していない場合、放送コンテンツのスクランブル映像が出力される代わりに、この放送コンテンツと同じチャンネルに多重化されている補間放送コンテンツの文字列および/または映像が表示される。この補間放送コンテンツは、同じチャンネルに含まれている放送コンテンツのあらすじ、ＣＭ、次回放送予定、および、放送コンテンツの代表画像などの宣伝データであるので、ユーザは、地上波デジタル放送において、スクランブルされている放送コンテンツの概要を容易に把握することができる。
【００３９】
なお、本発明は上記の実施形態に限定されるものではなく、その要旨の範囲内で数々の変形が可能である。
【００４０】
例えば、上記の実施形態において、放送コンテンツの映像がスクランブルされており、かつ、そのスクランブル解除キーを有していない場合、主制御部２８が音声デコーダ２４を制御して音声出力信号の出力を停止するようにしてもよい。また、主制御部２８は、ＤＥＭＵＸ２３から出力された補間放送コンテンツのデータを図示していないメモリ等に格納しておくようにしてもよい。そして、図６のステップＳ１１４、Ｓ１１６において、主制御部２８が指示受付部３０を介してユーザから補間放送コンテンツの表示指示を受付けた場合にのみ、メモリ等に記憶しておいた補間放送コンテンツあるいは補完放送コンテンツの文字列データの表示データを生成するようにしてもよい。
【００４１】
また、上記の実施形態では、地上波デジタル放送受信機を車載システムに適用した場合を例にとり説明した。しかし、本発明は、車載システム以外の様々な地上波デジタル放送受信機に適用することができる。この場合、図６において、ステップＳ１１０、Ｓ１１２、Ｓ１１３、Ｓ１１５、Ｓ１１６は不要である。つまり、Ｓ１０７およびＳ１０９でＮＯ場合からＳ１１１へ移行し、Ｓ１０９でＹＥＳの場合からＳ１１４に移行する。
【図面の簡単な説明】
【００４２】
【図１】図１は、本発明の一実施形態が適用された地上波デジタル放送システムの概略図である。
【図２】図２は、図１に示す地上波デジタル放送送信機１の概略図である。
【図３】図３は、補間放送コンテンツのデータフォーマットの一例を示す図である。
【図４】図４は、図１に示す地上波デジタル放送受信機２の概略図である。
【図５】図５は、キー管理ＴＬ記憶部２９の登録内容例を示す図である。
【図６】図６は、図４に示す地上波デジタル放送受信機４の主制御部２８の動作フローを説明するための図である。
【符号の説明】
【００４３】
１：地上波デジタル放送送信機、２：地上波デジタル放送受信機、３：アンテナ、４：アンテナ、５：スピーカ、６：ディスプレイ、１１：音声エンコーダ、１２：スクランブラ、１３：映像デコーダ、１４：ＭＵＸ、１５：ＯＦＤＭ変調部、１６：送信部、２１：チューナ、２２ＯＦＤＭ復調部、２３：ＤＥＭＵＸ、２４：音声デコーダ、２５：映像デコーダ、２６：デスクランブラ、２７：セレクタ、２８：主制御部、２９：キー管理ＴＬ記憶部、３０：指示受付部
【図１】
2005151333.tif 000003
【図２】
2005151333.tif 000004
【図３】
2005151333.tif 000005
【図４】
2005151333.tif 000006
【図５】
2005151333.tif 000007
【図６】
2005151333.tif 000008